【手続補正書】
【提出日】平成30年6月29日(2018.6.29)
【手続補正１】
【補正対象書類名】特許請求の範囲
【補正対象項目名】全文
【補正方法】変更
【補正の内容】
【特許請求の範囲】
【請求項１】
下記成分（Ａ）、成分（Ｂ）および成分（Ｃ）を含んでなるオレフィン重合用触媒。
成分（Ａ）：下記式（Ｉ）で表される遷移金属化合物
【化１】
2017025161.tif 000001
〔式（Ｉ）中、Ｍは、周期律表第４族遷移金属原子を示し、ｍは、１〜４の整数を示し、Ｒ1〜Ｒ5は、水素原子、ハロゲン原子、炭化水素基、ヘテロ環含有基、ハロゲン含有基、酸素含有基、窒素含有基、ホウ素含有基、イオウ含有基、リン含有基、ケイ素含有基、ゲルマニウム含有基またはスズ含有基を示し、互いに同一でも異なっていてもよく、これらのうちの２個以上が互いに連結して環を形成していてもよく、ｍが２の場合にはＲ1〜Ｒ5で示される基のうち少なくとも２個の基が連結されていてもよく、Ｒ6は、下記式（ＩＩ）または（ＩＩＩ）で表される基であり、ｊは、Ｍの価数を満たす数であり、Ｘは、水素原子、ハロゲン原子、炭化水素基、酸素含有基、イオウ含有基、窒素含有基、ホウ素含有基、アルミニウム含有基、リン含有基、ハロゲン含有基、ヘテロ環含有基、ケイ素含有基、ゲルマニウム含有基またはスズ含有基を示し、ｊが２以上の場合は、Ｘで示される複数の基は互いに同一でも異なっていてもよく、またＸで示される複数の基は互いに結合して環を形成してもよい。〕
【化２】
2017025161.tif 000002
〔式（ＩＩ）中、Ｒ7は、ハロゲン原子、炭化水素基、ヘテロ環含有基、ハロゲン含有基、酸素含有基、窒素含有基、ホウ素含有基、イオウ含有基、リン含有基、ケイ素含有基、ゲルマニウム含有基またはスズ含有基を示し、Ｒ8〜Ｒ11は、水素原子、ハロゲン原子、炭化水素基、ヘテロ環含有基、ハロゲン含有基、酸素含有基、窒素含有基、ホウ素含有基、イオウ含有基、リン含有基、ケイ素含有基、ゲルマニウム含有基またはスズ含有基を示し、互いに同一でも異なっていてもよく、Ｒ7〜Ｒ11のうちの２個以上が互いに連結して環を形成していてもよく、黒丸（●）は窒素原子との結合点を示す。〕
【化３】
2017025161.tif 000003
〔式（ＩＩＩ）中、Ｒ12およびＲ14は、ハロゲン原子、炭化水素基、ヘテロ環含有基、ハロゲン含有基、酸素含有基、窒素含有基、ホウ素含有基、イオウ含有基、リン含有基、ケイ素含有基、ゲルマニウム含有基またはスズ含有基を示し、互いに同一でも異なっていてもよく、Ｒ13は、炭素原子数３〜８の二価の飽和炭化水素基であり、ｎは、０またはＲ13の炭素原子数の２倍以下の整数であり、ｎが２以上の整数の場合は複数のＲ14は、互いに同一でも異なっていてもよく、黒丸（●）は窒素原子との結合点を表す。〕
成分（Ｂ）：下記式（ＩＶ）で表される架橋型メタロセン化合物
【化４】
2017025161.tif 000004
〔式（ＩＶ）中、Ｍは周期律表第３族〜第１１族の遷移金属原子を示し、Ｃｐ1およびＣｐ2はＭと共にサンドイッチ構造を形成することができるシクロペンタジエニル基または置換シクロペンタジエニル基を示し、互いに同一でも異なっていてもよく、Ｑは、水素原子、ハロゲン原子、炭化水素基、酸素含有基、イオウ含有基、窒素含有基、ホウ素含有基、アルミニウム含有基、リン含有基、ハロゲン含有基、ヘテロ環含有基、ケイ素含有基、ゲルマニウム含有基またはスズ含有基を示し、ｊは、１〜４の整数であり、ｊが２以上の場合は、Ｑで示される複数の基は互いに同一でも異なっていてもよく、またＱで示される複数の基は互いに結合して環を形成してもよい。Ｙは、炭素原子数１〜３０の２価の炭化水素基、炭素原子数１〜２０の２価のハロゲン化炭化水素基、２価のケイ素含有基、２価のゲルマニウム含有基、２価のスズ含有基、−Ｏ−、−ＣＯ−、−Ｓ−、−ＳＯ−、−ＳＯ2−、−Ｇｅ−、−Ｓｎ（スズ）−、−ＮＲa−、−Ｐ（Ｒa）−、−Ｐ（Ｏ）（Ｒa）−、−ＢＲa−または−ＡｌＲa−を示す。ただし、Ｒaは、炭素原子数１〜２０の炭化水素基、炭素原子数１〜２０のハロゲン化炭化水素基、水素原子、ハロゲン原子、または窒素原子に炭素原子数１〜２０の炭化水素基が１個もしくは２個結合した窒素含有基（−ＮＲＨまたは−ＮＲ2；Ｒは炭素原子数１〜２０の炭化水素基）である。〕
成分（Ｃ）：下記（ｃ−１）、（ｃ−２）、（ｃ−３）および（ｃ−４）よりなる群から選ばれる少なくとも１種の成分
（ｃ−１）下記式（Ｖ）、（ＶＩ）または（ＶＩＩ）で表される有機金属化合物
（ｃ−２）有機アルミニウムオキシ化合物
（ｃ−３）成分（Ａ）および成分（Ｂ）と反応してイオン対を形成する化合物
（ｃ−４）前記（ｃ−１）、（ｃ−２）および（ｃ−３）よりなる群から選ばれる少なくとも１種を含む成分を不溶化させて得られる固体成分
ＲamＡｌ（ＯＲb)nＨpＸq・・・（Ｖ）
〔式（Ｖ）中、ＲaおよびＲbは、炭素原子数１〜１５の炭化水素基を示し、互いに同一でも異なっていてもよく、Ｘは、ハロゲン原子を示し、ｍは０＜ｍ≦３、ｎは０≦ｎ＜３、ｐは０≦ｐ＜３、ｑは０≦ｑ＜３の数であり、かつｍ＋ｎ＋ｐ＋ｑ＝３である。〕
ＭaＡｌＲa4・・・（ＶＩ）
〔式（ＶＩ）中、ＭaはＬｉ、ＮａまたはＫを示し、Ｒaは炭素原子数１〜１５の炭化水素基を示す。〕
ＲarＭbＲbsＸt・・・（ＶＩＩ）
〔式（ＶＩＩ）中、ＲaおよびＲbは、炭素原子数１〜１５の炭化水素基を示し、互いに同一でも異なっていてもよく、Ｍbは、Ｍｇ、ＺｎまたはＣｄを示し、Ｘは、ハロゲン原子を示し、rは０＜r≦２、ｓは０≦ｓ≦１、ｔは０≦ｔ≦１であり、かつｒ＋ｓ＋ｔ＝２である。〕
【請求項２】
前記（ｃ−１）、（ｃ−２）および（ｃ−３）よりなる群から選ばれる少なくとも１種の成分、前記成分（Ａ）、前記成分（Ｂ）、ならびに、固体状担体（Ｓ）および前記（ｃ−４）よりなる群から選ばれる少なくとも１種の成分を含む、請求項１に記載のオレフィン重合用触媒。
【請求項３】
前記Ｒ7およびＲ12がそれぞれ独立に、ハロゲン原子、炭化水素基、ハロゲン含有基またはケイ素含有基である、請求項１または２に記載のオレフィン重合用触媒。
【請求項４】
前記式（ＩＩＩ）おけるＲ13の炭素原子数が４である、請求項１〜３のいずれか１項に記載のオレフィン重合用触媒。
【請求項５】
前記成分（Ｂ）が下記式（ＶＩＩＩ）で表される架橋型メタロセン化合物である、請求項１〜４のいずれか１項に記載のオレフィン重合用触媒。
【化５】
2017025161.tif 000005
〔式（ＶＩＩＩ）中、Ｒ15〜Ｒ18およびＲ19〜Ｒ26は、水素原子、炭化水素基、ハロゲン含有基、酸素含有基、窒素含有基、ホウ素含有基、イオウ含有基、リン含有基、ケイ素含有基、ゲルマニウム含有基またはスズ含有基を示し、それぞれ同一でも異なっていてもよく、また、隣接した置換基は互いに結合して環を形成してもよく、Ｑ1は、炭素原子数１〜２０の炭化水素基、炭素原子数１〜２０のハロゲン含有基、ケイ素含有基、ゲルマニウム含有基またはスズ含有基を示し、Ｍは、チタン原子、ジルコニウム原子またはハフニウム原子を示し、Ｘはそれぞれ独立に、水素原子、ハロゲン原子、炭化水素基、ハロゲン含有基、ケイ素含有基、酸素含有基、イオウ含有基、窒素含有基またはリン含有基を示す。〕
【請求項６】
前記式（ＶＩＩＩ）における、Ｒ15、Ｒ16、Ｒ17およびＲ18が全て水素原子である、請求項５に記載のオレフィン重合用触媒。
【請求項７】
前記成分（Ｃ）が有機アルミニウムオキシ化合物、または、有機アルミニウムオキシ化合物を含む成分を不溶化させて得られる固体成分である、請求項１〜６のいずれか１項に記載のオレフィン重合用触媒。
【請求項８】
請求項１〜７のいずれか１項に記載のオレフィン重合用触媒の存在下、エチレン単独、またはエチレンと炭素原子数３〜２０のオレフィンとを重合する、エチレン系重合体の合成方法。